(57)【要約】【課題】上段手摺部と下段手摺部の２段手摺部を有する補助手摺の壁面への固定を１箇所で容易に取付けることができ、がたつきのない強固な固定ができる補助手摺。【解決手段】上段手摺部１２の基端部１５と下段手摺部１３の基端部１６とを連結片２で連結して手摺本体１を一体化し、この連結片２の両側縁部２１を固定ブラケット３に形成した支持部３５に当接させて締結具４で手摺本体１と固定ブラケット３とを締結固定することにより、連結片２を介して手摺本体１と固定ブラケット３が、がたつきなく一体化される。【選択図】図１
0003141792.tif 000002
【実用新案登録請求の範囲】
【請求項１】
上段手摺部と下段手摺部とをそれぞれの先端側で連結して形成される手摺本体と、該手摺本体の基端側に設けられて壁面固定部を有する固定ブラケットとよりなる補助手摺において、
前記手摺本体の基端側には、前記上段手摺部と前記下段手摺部のそれぞれの基端部を折曲して近接させると共に、それぞれの該基端部に半筒状の連結片を架け渡して固着してなる連結部が形成され、
前記固定ブラケットには、前記連結部に固着された前記連結片の両側縁部を当接支持する支持部と、該連結片が固着されない該連結部の半外周側を収容する収容部とを有する手摺保持部が前記壁面固定部と一体的に形成され、
前記手摺本体の前記連結部と前記固定ブラケットの前記手摺保持部とが、貫通する締結具によって締結され、該連結部に固着された前記連結片の前記両側縁部が前記支持部に当接され、該手摺本体と該固定ブラケットとが一体的に結合されてなることを特徴とする補助手摺。
【考案の詳細な説明】
【技術分野】
【０００１】
本考案は、建物の壁面、特にトイレや洗面所において大小便器や洗面台の近傍の壁面に設置されて、使用者の立ち座り動作や姿勢の維持を補助する補助手摺に関するものである。
【背景技術】
【０００２】
従来、使用者の身体を確実に支えるため、上下２段の手摺部を先端で一体に連結してそれぞれの基端部を壁面に固定した、コ字状あるいは倒Ｕ字状の補助手摺がある。そして、このような２段の手摺部からなる補助手摺の壁面への固定は、上下２段の手摺部のそれぞれの基端部にブラケット部材を取付け、この２箇所のブラケットを介して壁面に取付けられる。
【０００３】
しかし、このような固定構造では、上下２箇所のブラケット固定となるため、取付け作業が面倒である。また、２段の手摺部を有効に活用するために、上下手摺部の間隔を広げた比較的大型の補助手摺では、取付け位置の間隔も広がるため、取付ける壁面が離れた位置でも同一レベルの平坦面である必要があり、段差や不陸があると正しい位置に取付けることが困難になるという問題がある。
【０００４】
この改善策として、２段の手摺部の基端部を連結して形成することで基端部での固定を１箇所にすることが考えられる。例えば特許文献２は、可動手摺であって可動を容易にするために、手摺部を環状の手摺として一つの支持プレートで取付けるものである。しかし、固定手摺において２段の手摺を一つの固定ブラケットでがたつきなく強固に取付けるものは考案されていない。
【特許文献１】特開平９−１４４２６３号公報
【特許文献２】特開２００７−８５０７９号公報
【考案の開示】
【考案が解決しようとする課題】
【０００５】
解決しようとする課題は、上下２段の手摺部を有し、使用者の立ち座りや姿勢保持に十分な大きさと強度を有する補助手摺であって、がたつきなく強固に固定できると共に、その取付け作業が容易な補助手摺を提供することである。
【課題を解決するための手段】
【０００６】
本考案は、上段手摺部と下段手摺部とを有した手摺本体と、該手摺本体の基端側に設けられて壁面固定部を有する固定ブラケットとよりなる補助手摺において、前記上段手摺部と前記下段手摺部のそれぞれの基端部を折曲して近接させると共に、該基端部同士を半筒状の連結片で固着して連結部を形成することにより手摺本体を方形環状にして強度を高め、さらに、前記固定ブラケットには、半筒状の前記連結片の両側縁部を当接支持する支持部と、前記連結部の半外周側を収容する収容部とを有する手摺保持部を形成し、前記連結片の両側縁部と該手摺保持部の両支持部とが当接するように締結具で固定して、前記手摺本体を一つの固定ブラケットに強固に結合してなることを特徴とする。
【考案の効果】
【０００７】
本考案の補助手摺は、上段手摺部と下段手摺部のそれぞれの基端部を半筒状の連結片で連結して一体化するため、手摺本体は略方形環状となって、折曲げ加工時の残留歪を無くし強度も高められる。さらに、その連結部において連結片の両側縁部と固定ブラケットの支持部を互いに当接させて締結することにより、連結片の両側縁部が固定ブラケットの支持部に圧接されて手摺本体と固定ブラケットとが強固に一体化され、手摺本体にかかる荷重を連結片を介して確実に固定ブラケットで受けることができる。従って、がたつきが無く、使用者が安心して使用できる。
【０００８】
さらに、上段手摺部と下段手摺部との連結部に固定ブラケットが配置されるため、壁面への固定が１箇所となり取付け作業が容易となる。また、取付け箇所が１箇所に集中し、手摺本体の上下間隔より小さな面積で取付けることができ、取付け壁面に不陸や段差があっても、容易に取付け可能である。
【考案を実施するための最良の形態】
【０００９】
以下、図面に基づいて本考案の実施の形態を説明する。図１は本考案の補助手摺Ｈの主要部の分解斜視図、図２は本考案の補助手摺Ｈの全体斜視図、図３は壁面Ｗへの取付け状態を部分断面で示す側面図、図４は図３のＡ−Ａ線断面図である。
【００１０】
図１及び図２に示すように、本考案の補助手摺Ｈは、長尺管状の手摺材１１を略方形状に折曲げ成型してなる手摺本体１と、アルミダイキャスト等の金属加工によって成型される固定ブラケット３とよりなり、固定ブラケット３を介してトイレ等の壁面Ｗに固定される。手摺材１１は、握り易い直径３０ｍｍ〜４０ｍｍ程度の太さと容易に撓んだりしない強度を有するステンレス鋼管材等によって形成されるが、本実施例で示すように、鋼管材等金属製の芯材１１ａの表面を半硬質の合成樹脂層１１ｂで被覆した樹脂被覆鋼管とすることで、滑りにくく感触の良い手摺とすることができる。
【００１１】
手摺本体１は、手摺材１１を略コ字状に折曲げ成形して、上段手摺部１２と下段手摺部１３及びそれらを先端側で連結する縦手摺部１４を形成している。さらに、上段手摺部１２の基端部１５を下方に、下段手摺部１３の基端部１６を上方にそれぞれ折曲げて互いに近接させて略方形状に形成される。さらに、それぞれの基端部１５、１６は、手摺材１１が樹脂被覆鋼管の場合には、図１に示すように合成樹脂層１１ｂを剥脱して芯材１１ａを露出させ、後述する連結片２を溶接できるように加工されている。
【００１２】
上記の近接した基端部１５、１６は、連結片２によって連結されて連結部１７を形成している。この連結片２は鋼板製の略半筒状の部材であり、本実施例では円管状の芯材１１ａの外周径と同一の内径を有する半円筒状に形成され、溶接によって基端部１５、１６の露出した芯材１１ａにそれぞれ固着される。なお、連結片２の固着方法は、溶接に限らず、リベットやビス止めなどによって固着しても良い。
【００１３】
前記連結部１７には、連結片２の直線状の両側縁部２１の板厚によって、基端部１５、１６の芯材１１ａの外周面との間に段差が形成されている。この段差は芯材１１ａの両側面に形成されるが、図４に示すように手摺本体１を縦に分断する仮想の中心線Ｌに対して対称な位置となるように配置され、この両側縁部２１によって、後述する固定ブラケット３の壁面への取付面に対して手摺本体１が直角方向を維持して取付けられる。さらに、連結部１７には、連結片２が固着された前方側から中心を通って後方側へ貫通する締結具挿通孔１８が形成されている。
【００１４】
固定ブラケット３は、アンカーボルト等の壁面固定具６によって壁面に固定することのできる壁面固定部３１と、前記手摺本体１の連結部１７と結合される手摺保持部３２とを有している。そして、壁面固定部３１には、固定フランジ３３が両側に突設され、この固定フランジ３３には、アンカーボルト等の壁面固定具６の挿通孔３３ａが複数箇所穿設されている。
【００１５】
前記固定ブラケット３の手摺保持部３２には、前記手摺本体１の連結部１７において連結片２が固着されていない部分、すなわち基端部１５、１６の芯材１１ａが露出する部分を収容する溝状の収容部３４と、その収容部３４の両側壁の先端面である支持部３５が形成されている。さらに、図３及び図４に示すように、収容部３４の底部には、連結部１７に形成された締結具挿通孔１８に対応した締結孔３６が穿設されており、締結具４のナット４ａを固定ブラケット３の背面側に設けられた凹部３７に挿入し連結部１７の前面側からボルト４ｂで締付けることによって手摺本体１の連結部１７と固定ブラケット３の手摺保持部３２の両者が締結固定される。
【００１６】
前記手摺本体１の連結部１７と前記固定ブラケット３の手摺保持部３２との締結状態において、連結部１７の連結片２は、その両側縁部２１が締結具４によって手摺保持部３２の支持部３５にしっかりと当接している。従って、手摺本体１に負荷される荷重を確実に固定ブラケット３で受けることができ、がたつきを生じることがない。また、両側縁部２１と支持部３５とを確実に当接させるため、固定ブラケット３の収容部３４内においては、連結片２が固着されていない連結部１７の半外周部分、すなわち露出する芯材１１ａの外周面と収容部３４との間には微小な空隙を形成している。
【００１７】
上記のように一体的に組立てられた補助手摺Ｈは、取付け壁面Ｗに埋設されたアンカーボルト６ａとナット６ｂの壁面固定具６に固定ブラケット３の固定フランジ３３を固定して取付けられる。さらに、この固定フランジ３３に露出する壁面固定具６と前記連結部１７に露出する締結具４とを覆うブラケットカバー５が固定ブラケット３に着脱可能に取付けられる。このブラケットカバー５は固定ブラケット３に形成された係合部３８にスナップ係合する係止部５１を備えて、メンテナンスの際等には取外すことができるようにしておく。
【００１８】
本実施形態の補助手摺Ｈは、上記の通り、略方形状の比較的大きな手摺本体１であっても、固定ブラケット３に取付け部を集中させて、容易かつ強固に取付けることができるため、上下段手摺部１２，１３と縦手摺部１４とで広い範囲で確実に使用者を支えることができる小便器用の補助手摺や、車椅子からの移乗や立ち座り動作の際に高低差のある上下段手摺部１２，１３及び縦手摺部１４を効果的に使用できる大便器用の補助手摺として有効に利用することができるものである。
【図面の簡単な説明】
【００１９】
【図１】本考案の補助手摺の主要部を示す分解斜視図である。
【図２】本考案の補助手摺全体を示す斜視図である。
【図３】本考案の補助手摺の取付け状態を示す部分縦断面図である。
【図４】図３のＡ−Ａ線で示す横断面図である。
【符号の説明】
【００２０】
１          手摺本体
１１        手摺材
１２        上段手摺部
１３        下段手摺部
１４        縦手摺部
１５        基端部（上段手摺部の）
１６        基端部（下段手摺部の）
１７        連結部
２          連結片
２１        側縁部
３          固定ブラケット
３１        壁面固定部
３２        手摺保持部
３４        収容部
３５        支持部
４          締結具
５          ブラケットカバー
６          壁面固定具
Ｈ          補助手摺
Ｗ          壁面
【図１】
0003141792.tif 000003
【図２】
0003141792.tif 000004
【図３】
0003141792.tif 000005
【図４】
0003141792.tif 000006